(57)【要約】  本発明は、統合端末機の位置登録のための装置及び方法に関し、端末機の位置登録情報を管理する登録器であって、前記端末機が接続した近距離無線通信プロトコルを使用するＡＰのアドレスを含み、前記ＡＰにマッピングされた有線電話番号を要請するメッセージをＨＬＲ（Ｈｏｍｅ  Ｌｏｃａｔｉｏｎ  Ｒｅｇｉｓｔｅｒ）から受信した場合に、前記有線電話番号を含むメッセージを前記ＨＬＲに送信するシグナリングプロセッサと、前記シグナリングプロセッサに前記ＡＰにマッピングされた有線電話番号を提供し、近距離無線通信ＡＰのアドレスとこれにマッピングされた有線電話番号とを格納する登録器データベースと、を備える。端末機は、二つのインタフェースの代わりに一つのインタフェースを使用し、一つの電話番号で二種類のサービスを使用することができ、前記二つのインタフェース使用に応じるバッテリーの消費を減らすことができるという利点がある。
2009516956.tif 000002
【特許請求の範囲】
【請求項１】
端末機の位置登録情報を管理する登録器であって、
前記端末機が接続した近距離無線通信プロトコルを使用するＡＰ（Ａｃｃｅｓｓ  Ｐｏｉｎｔ）のアドレスを含み、前記ＡＰにマッピングされた有線電話番号を要請するメッセージをＨＬＲ（Ｈｏｍｅ  Ｌｏｃａｔｉｏｎ  Ｒｅｇｉｓｔｅｒ）から受信した場合に、前記有線電話番号を含むメッセージを前記ＨＬＲに送信するシグナリングプロセッサと、
前記シグナリングプロセッサに前記ＡＰにマッピングされた有線電話番号を提供し、近距離無線通信ＡＰのアドレスとこれにマッピングされた有線電話番号とを格納する登録器データベース（Ｒｅｇｉｓｔｅｒ  ＤＢ）と、を備えることを特徴とする端末機の位置登録情報を管理する登録器。
【請求項２】
前記近距離無線通信プロトコルは、ブルートゥースプロトコル（Ｂｌｕｅｔｏｏｔｈ  Ｐｒｏｔｏｃｏｌ）であることを特徴とする請求項１に記載の端末機の位置登録情報を管理する登録器。
【請求項３】
前記シグナリングプロセッサは、前記登録器データベースに格納された前記ＡＰのアドレスにマッピングされた有線電話番号を前記メッセージに含まれた有線電話番号に更新することを特徴とする請求項１に記載の端末機の位置登録情報を管理する登録器。
【請求項４】
端末機の位置登録のためのシステムであって、
近距離無線通信プロトコルを使用する通信モードへの登録を要請する端末機と、
前記端末機の登録要請を受信した後に、前記端末機に対する登録情報を更新及び送信するＨＬＲ（Ｈｏｍｅ  Ｌｏｃａｔｉｏｎ  Ｒｅｇｉｓｔｅｒ）と、
前記ＨＬＲから受信した前記端末機の登録情報を利用して、前記端末機の登録情報を更新する登録器と、を備えることを特徴とする端末機の位置登録のためのシステム。
【請求項５】
前記近距離無線通信プロトコルは、ブルートゥースプロトコルであることを特徴とする請求項４に記載の端末機の位置登録のためのシステム。
【請求項６】
前記ＨＬＲは、
前記近距離無線通信プロトコルを使用するＡＰにマッピングされた有線電話番号を既格納している場合に、前記有線電話番号を前記登録器に送信し、
前記有線電話番号を既格納していない場合に、前記有線電話番号を前記登録器に要請して提供され、前記端末機の移動通信電話番号へ向かう移動通信サービスを前記有線電話番号にフォワード（Ｆｏｒｗａｒｄｉｎｇ）するよう設定して、前記端末機に対する登録情報を更新することを特徴とする請求項４に記載の端末機の位置登録のためのシステム。
【請求項７】
前記登録器は、
前記ＨＬＲから前記近距離無線通信プロトコルを使用するＡＰにマッピングされた有線電話番号を要請される場合に、前記ＨＬＲに前記有線電話番号を提供し、
前記ＡＰのアドレスにマッピングされた前記有線電話番号を提供される場合に、既格納された前記ＡＰのアドレスにマッピングされた有線電話番号を前記提供された前記ＡＰのアドレスにマッピングされた前記有線電話番号に更新して、前記端末機に対する登録情報を更新することを特徴とする請求項４に記載の端末機の位置登録のためのシステム。
【請求項８】
前記端末機は、登録コードと前記近距離無線通信プロトコルを使用するＡＰの情報を表すフィールドのうちの少なくとも一つを含むメッセージを送信して、前記ＨＬＲに前記近距離無線通信プロトコルを使用する通信モードへの登録を要請することを特徴とする請求項４に記載の端末機の位置登録のためのシステム。
【請求項９】
前記登録コードは、屋内登録を表すことを特徴とする請求項８に記載の端末機の位置登録のためのシステム。
【請求項１０】
前記ＡＰの情報は、前記ＡＰ情報の有無を表すフィールドと、前記ＡＰのアドレス長を表すフィールドと、前記ＡＰのアドレスを表すフィールドとのうちの少なくとも一つであることを特徴とする請求項８に記載の端末機の位置登録のためのシステム。
【請求項１１】
端末機における位置登録のための方法であって、
端末機が接続した近距離無線通信プロトコルのＡＰに接続する過程と、
ＨＬＲに前記近距離無線通信プロトコルを使用する通信モードへの登録を要請する過程と、
前記ＨＬＲから前記要請結果を提供される過程と、を含むことを特徴とする端末機における位置登録のための方法。
【請求項１２】
前記近距離無線通信プロトコルは、ブルートゥースプロトコルであることを特徴とする請求項１１に記載の端末機における位置登録のための方法。
【請求項１３】
前記ＨＬＲに前記近距離無線通信プロトコルを使用する通信モードへの登録を要請する過程は、
登録コードと前記ＡＰの情報を表すフィールドとのうちの少なくとも一つを含むメッセージを送信することを特徴とする請求項１１に記載の端末機における位置登録のための方法。
【請求項１４】
前記登録コードは、屋内登録を表すことを特徴とする請求項１３に記載の端末機における位置登録のための方法。
【請求項１５】
前記ＡＰの情報は、前記ＡＰ情報の有無を表すフィールドと、前記ＡＰのアドレス長を表すフィールドと、前記ＡＰのアドレスを表すフィールドとのうちの少なくとも一つであることを特徴とする請求項１３に記載の端末機における位置登録のための方法。
【請求項１６】
端末機の位置登録のための登録機の登録方法であって、
端末機が接続した近距離無線通信プロトコルのＡＰにマッピングされた有線電話番号をＨＬＲから要請される過程と、
前記有線電話番号を前記ＨＬＲに送信する過程と、を含むことを特徴とする端末機の位置登録のための端末機における位置登録のための登録器の登録方法。
【請求項１７】
前記ＡＰにマッピングされた前記有線電話番号を提供される過程と、
既格納していた前記ＡＰにマッピングされた前記有線電話番号を更新する過程と、をさらに含むことを特徴とする請求項１６に記載の端末機における位置登録のための登録器の登録方法。
【請求項１８】
前記近距離無線通信プロトコルは、ブルートゥースプロトコルであることを特徴とする請求項１６に記載の端末機における位置登録のための登録器の登録方法。
【請求項１９】
端末機における位置登録のためのＨＬＲの登録方法であって、
端末機から近距離無線通信プロトコルを使用するＡＰのアドレスを含むメッセージを受信する過程と、
前記ＡＰのアドレスにマッピングされる有線電話番号を既格納している場合に、前記端末機の移動通信電話番号へ向かう移動通信サービスを前記有線電話番号にフォワードするよう設定する過程と、を含むことを特徴とする端末機における位置登録のためのＨＬＲの登録方法。
【請求項２０】
前記ＡＰのアドレスにマッピングされる前記有線電話番号を既格納していない場合に、登録器に前記有線電話番号を要請する過程と、
前記有線電話番号を受信した場合に、前記端末機の移動通信電話番号へ向かう移動通信サービスを前記有線電話番号にフォワードするよう設定する過程と、をさらに含むことを特徴とする請求項１９に記載の端末機における位置登録のためのＨＬＲの登録方法。
【請求項２１】
前記近距離無線通信プロトコルは、ブルートゥースプロトコルであることを特徴とする請求項１９に記載の端末機における位置登録のためのＨＬＲの登録方法。
【請求項２２】
端末機であって、移動通信モジュールと近距離無線通信モジュールとを備えるインタフェースモジュールと、
前記インタフェースモジュールを介して前記近距離無線通信の信号を感知して接続された場合に、前記近距離無線通信を使用するＡＰの情報を含むメッセージを送信して、前記近距離無線通信モードへの登録を要請する制御部と、を備えることを特徴とする端末機。
【請求項２３】
前記制御部は、前記近距離無線通信モードへの登録要請時に登録コードと前記ＡＰの情報を表すフィールドとのうちの少なくとも一つを含むメッセージを送信することを特徴とする請求項２２に記載の端末機。
【請求項２４】
前記登録コードは、屋内登録を表すことを特徴とする請求項２３に記載の端末機。
【請求項２５】
前記ＡＰの情報は、前記ＡＰ情報の有無を表すフィールドと、前記ＡＰのアドレス長を表すフィールドと、前記ＡＰのアドレスを表すフィールドとのうちの少なくとも一つであることを特徴とする請求項２３に記載の端末機。
【請求項２６】
前記近距離無線通信プロトコルは、ブルートゥースプロトコルであることを特徴とする請求項２２に記載の端末機。
【発明の詳細な説明】
【技術分野】
【０００１】
本発明は、移動通信技術と、ブルートゥース（Ｂｌｕｅｔｏｏｔｈ）、ジグビー（ＺｉｇＢｅｅ）などのような近距離無線通信技術とをサポートする統合端末機において、前記近距離無線通信技術により公衆交換電話網（ＰＳＴＮ、Ｐｕｂｌｉｃ  Ｓｗｉｔｃｈｅｄ  Ｔｅｌｅｐｈｏｎｅ  Ｎｅｔｗｏｒｋ）に接続されたときにおける前記統合端末機の位置登録のための装置及び方法に関する。
前記統合端末機は、二つ以上の無線インタフェースを有する移動通信端末機を意味し、本発明では、移動通信技術と、ブルートゥース技術のような短距離無線通信技術とを使用する移動通信端末機を仮定する。
すなわち、本発明は、前記統合端末機の登録のための装置及び方法に関し、移動通信技術と短距離無線通信を使用する前記統合端末機が、短距離無線通信領域に入るか又は短距離無線通信領域から外れたときに、前記統合端末機への呼着信のために登録手順を行うようになる。
【背景技術】
【０００２】
図１は、既存の移動通信技術と近距離無線通信技術とを同時にサポートする統合端末機のネットワーク接続形態を示したものである。
前記統合端末機は、室外では、移動通信技術により公衆地上移動通信網（ＰＬＭＮ：Ｐｕｂｌｉｃ  Ｌａｎｄ  Ｍｏｂｉｌｅ  Ｎｅｔｗｏｒｋ）に接続され、屋内では、ブルートゥースＡＰ（Ａｃｃｅｓｓ  Ｐｏｉｎｔ）を介して公衆交換電話網（ＰＳＴＮ：Ｐｕｂｌｉｃ  Ｓｗｉｔｃｈｅｄ  Ｔｅｌｅｐｈｏｎｅ  Ｎｅｔｗｏｒｋ）に接続されるか、又は室外の場合のように移動通信技術を使用して移動通信網に接続される。
【０００３】
上記の場合には、前記統合端末機がブルートゥース通信領域である屋内に入ると、加入者が前記統合端末機の専用ボタンを押すか、若しくは前記統合端末機のユーザメニューから特定メニューを選択したとき、又は前記統合端末機のブルートゥース自動登録が設定されていた場合に、前記統合端末機がブルートゥース信号を周期的にスキャンしてブルートゥース信号を検出すると、前記統合端末機は、ブルートゥースインタフェースを動作し、隣接したブルートゥースＡＰからのブルートゥース信号を検索し、前記ブルートゥースＡＰと接続される。
以後、公衆交換電話網と接続した前記ブルートゥースＡＰに接続した前記統合端末機は、ブルートゥースＡＰにかかってきた有線通話を着信でき、またブルートゥースＡＰを介して有線通話を発信できる。
【０００４】
前記図１の場合は、統合端末機を有した加入者が屋内に入ってブルートゥースＡＰに接続した場合に、ブルートゥースリンクの設定以外の登録手順は行わない。
すなわち、電話網又は移動通信網を介して、前記統合端末機のブルートゥースＡＰへの接続有無を移動通信網の特定ノードに登録する手順を行わない。
これは、前記統合端末機がブルートゥースＡＰを介して電話網に接続して着発信が可能であるが、移動通信網では、統合端末機がＡＰ接続に対して登録しないので、公衆交換電話網への着発信過程と移動通信網への着発信過程とが独立的に行われる。
したがって、前記統合端末機は、屋内でも移動通信技術とブルートゥース技術とを同時に使用でき、屋内でブルートゥース技術を使用して有線電話を使用するときにも、前記移動通信インタフェースをオフ（ｏｆｆ）しない。
【０００５】
この場合に、有線電話を使用しつつ移動通信の呼着信が可能であるという長所があるが、二つのインタフェースを同時に全て使用することによって、統合端末機のバッテリー消耗量が顕著に大きくなるという問題がある。
また、屋内で移動通信信号が微弱な場合にも、移動通信呼着信を、移動通信網を介して行うため、屋内で優れたブルートゥース信号を送受信できる状況でも、前記移動通信網を介して呼着信が行われるので、着信成功率、通話音質などの通話品質が顕著に低下するおそれがある。
また、上記の場合には、同じ統合端末機に対して二つの電話番号（この場合に、有線電話番号と移動通信電話番号）を必要とする。
これは、前記統合端末機が二つのインタフェースを同時に使用するためであるから、同一端末機に対して一つの識別番号を使用することができないという問題がある。
したがって、前記多重インタフェースを有する統合端末機の位置登録に対して、改善された装置及び方法が必要である。
【発明の開示】
【発明が解決しようとする課題】
【０００６】
本発明は、上述の問題点に鑑みてなされたもので、その目的は、多重インタフェースを有した統合端末機が一つのインタフェースで二種類のサービス使用を可能にするために、このような動作をネットワークに登録するための装置及び方法を提供することにある。
【課題を解決するための手段】
【０００７】
上記の目的を達成すべく、本発明によると、端末機の位置登録情報を管理する登録器であって、前記端末機が接続した近距離無線通信プロトコルを使用するＡＰ（Ａｃｃｅｓｓ  Ｐｏｉｎｔ）のアドレスを含み、前記ＡＰにマッピングされた有線電話番号を要請するメッセージをＨＬＲ（Ｈｏｍｅ  Ｌｏｃａｔｉｏｎ  Ｒｅｇｉｓｔｅｒ）から受信した場合に、前記有線電話番号を含むメッセージを前記ＨＬＲに送信するシグナリングプロセッサと、前記シグナリングプロセッサに前記ＡＰにマッピングされた有線電話番号を提供し、近距離無線通信ＡＰのアドレスとこれにマッピングされた有線電話番号とを格納する登録器データベース（Ｒｅｇｉｓｔｅｒ  ＤＢ）と、を備えることを特徴とする。
【発明を実施するための最良の形態】
【０００８】
本発明の好ましい実施形態を、添付した図面の参照と共に詳細に説明する。また、本発明を説明するにあたって、本発明と関連した公知技術又は構成に対する具体的な説明が本発明の要旨を不明瞭にすると判断される場合には、その詳細な説明を省略する。
以下、本発明は、統合端末機のサービス登録のための装置及び方法について説明する。
本発明でのサービス登録のための装置及び方法の実施形態において、近距離無線通信インタフェースは、ブルートゥースを仮定し、室外では、移動通信（ＣＤＭＡ  ２０００）インタフェースを仮定しているが、その他の特定インタフェースを使用する場合であっても、本発明の範ちゅうに含まれる。
【０００９】
図２は、本発明の実施形態による移動通信技術を利用した動作過程を示すものである。
前記図２に示すように、統合端末機２０５は、移動通信インタフェースとブルートゥースインタフェースとを有しており、室外では、移動通信網に接続する。
しかしながら、前記統合端末機２０５がブルートゥースＡＰ（Ａｃｃｅｓｓ  Ｐｏｉｎｔ）を有した屋内に入ると、前記移動通信インタフェースをオフし、ブルートゥースインタフェースを介して公衆交換電話網に接続する。
【００１０】
前記統合端末機２０５は、一つのインタフェースで二種類のサービス使用を可能にするために、前記事実をネットワークに登録し、移動通信電話番号へ向かう電話通信を有線電話番号にフォワード（Ｆｏｒｗａｒｄｉｎｇ）するために、ＨＬＲ（Ｈｏｍｅ  Ｌｏｃａｔｉｏｎ  Ｒｅｇｉｓｔｅｒ）２０７と登録器（Ｒｅｇｉｓｔｅｒ）２１０とに登録する。
前記ＨＬＲ２０７は、移動通信加入者の位置登録と加入者管理を行うシステムであって、加入者に対する移動性情報及び各種付加サービス情報を管理する。
前記登録器２１０は、前記統合端末機２０５の公衆交換電話網に関連した情報を管理する。すなわち、前記統合端末機２０５がどんなブルートゥースＡＰに接続されているかに関連した情報と前記統合端末機２０５の有線電話番号とを有している。
【００１１】
図３は、本発明の実施形態による登録器の構成を示すものである。
前記図３に示すように、前記登録器３００は、公衆交換電話網又は移動通信網とＳＳ７（Ｓｉｇｎａｌｉｎｇ  Ｓｙｓｔｅｍ  Ｎｏ  ７）信号方式により、制御メッセージを送受信する。
メッセージバッファ（Ｍｅｓｓａｇｅ  Ｂｕｆｆｅｒ）３３０は、制御メッセージを格納する。シグナリングプロセッサ（Ｓｉｇｎａｌｉｎｇ  Ｐｒｏｃｅｓｓｏｒ）３２０は、ネットワークから受信したメッセージを処理するか、又は新しい制御メッセージを生成して、前記メッセージバッファ３３０に格納する。
登録器データベース（Ｒｅｇｉｓｔｅｒ  ＤＢ）３１０は、ブルートゥースＡＰのアドレスであるＢＤ＿ＡＤＤＲと前記ブルートゥースＡＰの有線電話番号などの情報を格納する。
前記シグナリングプロセッサ３２０は、ＨＬＲからのブルートゥースＡＰのＢＤ＿ＡＤＤＲを含み、前記ブルートゥースＡＰの有線電話番号を要請する制御メッセージを受信して、ＢＤ＿ＡＤＤＲに該当する有線電話番号を応答として送信する。
【００１２】
図４は、本発明の実施形態による登録器の動作過程を示すものである。
前記図４に示すように、前記登録器３００は、ステップ４０５でＨＬＲ２０７から統合端末機２０５に対する位置登録要請を受信する。
以後、ステップ４１０に進んで、前記登録要請内に前記統合端末機の近距離無線通信、すなわちブルートゥース通信に対する情報要請があるか否かを検査する。
前記ステップ４１０でのブルートゥース通信に対する情報要請は、前記統合端末機がブルートゥース信号を介して使用する有線電話番号を要請することである。前記登録器３００は、前記ＨＬＲ２０７が送信した要請内に含まれたブルートゥースＡＰのアドレスである「ＢＤ＿ＡＤＤＲ」と有線電話番号のマッピングテーブルを有している。
【００１３】
前記ステップ４１０において前記情報要請がある場合、ステップ４１５に進んで前記ＨＬＲ２０７に前記統合端末機の近距離無線通信情報を送信する。すなわち、前記統合端末機がブルートゥース信号を介して使用する有線電話番号を送信する。
以後、ステップ４２０に進んで送信されたＡＰの「ＢＤ＿ＡＤＤＲ」を用いて、前記統合端末機の位置を更新する。すなわち、前記統合端末機２０５とのブルートゥースＡＰの接続情報を更新する。
前記ステップ４１０において前記情報要請がない場合、すなわち、前記ＨＬＲ２０７が前記統合端末機２０５の使用する有線電話番号を既に有している場合、ステップ４２０の過程、すなわち、送信されたＡＰの「ＢＤ＿ＡＤＤＲ」を利用して、前記統合端末機の位置更新過程を行い、本発明によるアルゴリズムを終了する。
【００１４】
図５は、本発明の実施形態によるＨＬＲの動作過程を示すものである。
前記図５に示すように、前記ＨＬＲ２０７は、ステップ５０５で統合端末機２０５から位置登録要求を受信する。
前記統合端末機２０５が前記ＨＬＲ２０７に送信する登録メッセージには、前記統合端末機２０５が接続したブルートゥースＡＰの情報がある特定フィールドを含む。
【００１５】
前記特定フィールドは、下記の図７のように、１ビットのＡＰ＿ＩＤ＿ＩＮＣＬ、３ビットのＡＰ＿ＩＤ＿ＬＥＮ、８×ＡＰ＿ＩＤ＿ＬＥＮビットのＡＰ＿ＩＤであり、それぞれブルートゥースＡＰへの接続有無、前記ブルートゥースＡＰの長さ、そして前記ブルートゥースＡＰのアドレスであるＢＤ＿ＡＤＤＲを示す。
そして、新しい登録コードである下記の図８のＲＥＧ＿ＴＹＰＥを「１００２」、「Ｐｏｗｅｒ−ｄｏｗｎ  ｗｉｔｈ  ｉｎｄｏｏｒ  ｒｅｇｉｓｔｒａｔｉｏｎ」と設定する。
前記ＲＥＧ＿ＴＹＰＥが「１００２」である場合には、登録メッセージにＡＰ＿ＩＤ＿ＩＮＣＬ、ＡＰ＿ＩＤ＿ＬＥＮ、ＡＰ＿ＩＤの３種類のフィールドが必ず含まれなければならない。
【００１６】
以後、ステップ５１０に進んで、前記ＨＬＲ２０７が前記統合端末機２０５の近距離無線通信、ブルートゥース通信に対する情報を所有しているか否かを検査する。
すなわち、前記統合端末機がブルートゥース通信のために登録要請した情報に含まれるブルートゥースＡＰの「ＢＤ＿ＡＤＤＲ」を基盤に前記統合端末機が使用する有線電話番号を有しているか否かを検査する。
【００１７】
前記ステップ５１０において、ブルートゥース通信に対する情報を所有している場合、ステップ５２０に進んで前記統合端末機の登録情報を更新し、登録器３００に前記統合端末機の位置登録を要請した後に、ステップ５３０で前記統合端末機の電話通信フォワード設定を行う。
すなわち、前記統合端末機の移動通信電話番号へ向かう通信を前記有線電話番号へ向かうようにする。
以後、ステップ５３５に進んで、前記統合端末機に前記位置登録完了を通知する。
【００１８】
前記ステップ５１０で、ブルートゥース通信に対する情報を所有していない場合、ステップ５１５に進んで、前記登録器３００に前記統合端末機２０５のブルートゥース通信に対する情報要請及び位置登録要請を行う。
すなわち、前記統合端末機２０５がブルートゥース通信時に使用する有線電話番号を要請し、現在の統合端末機２０５がどんなブルートゥースＡＰに接続されているかに対する位置情報を登録する。
以後、ステップ５２５において前記ＨＬＲ２０７は、前記登録器３００から前記ステップ５１５で要請した情報を受信し、前記統合端末機の登録情報を更新した後に、前記統合端末機２０５の電話通信フォワード設定を行う。
すなわち、前記統合端末機の移動通信電話番号へ向かう通信を前記有線電話番号へ向かうようにする。
以後、前記ステップ５３５の過程を行った後、本発明によるアルゴリズムを終了する。
【００１９】
図６は、本発明の実施形態による統合端末機の動作過程を示すものである。
前記図６に示すように、前記統合端末機２０５は、ステップ６０５で近距離無線通信、すなわちブルートゥース接続要求を受ける場合に、ステップ６１０に進んでＨＬＲ２０７にブルートゥース通信のための位置登録を要請する。
すなわち、上記のブルートゥース接続要求を受ける場合には、前記統合端末機２０５がブルートゥース通信領域である屋内に入ると、加入者が前記統合端末機の専用ボタンを押すか、若しくは前記統合端末機のユーザメニューから特定メニューを選択したとき、又は前記統合端末機のブルートゥース自動登録が設定されていた場合に、前記統合端末機がブルートゥース信号を周期的にスキャンして、ブルートゥース信号を検出する。
【００２０】
前記統合端末機２０５が前記ＨＬＲ２０７に送信する登録メッセージには、前記統合端末機２０５が接続したブルートゥースＡＰの情報がある特定フィールドを含む。
前記特定フィールドは、下記の図７のように、１ビットのＡＰ＿ＩＤ＿ＩＮＣＬ、３ビットのＡＰ＿ＩＤ＿ＬＥＮ、８×ＡＰ＿ＩＤ＿ＬＥＮビットのＡＰ＿ＩＤであり、それぞれブルートゥースＡＰへの接続有無、前記ブルートゥースＡＰの長さ、そして前記ブルートゥースＡＰのアドレスであるＢＤ＿ＡＤＤＲを示す。
そして、新しい登録コードである下記の図８のＲＥＧ＿ＴＹＰＥを「１００２」、「Ｐｏｗｅｒ−ｄｏｗｎ  ｗｉｔｈ  ｉｎｄｏｏｒ  ｒｅｇｉｓｔｒａｔｉｏｎ」と設定する。
前記ＲＥＧ＿ＴＹＰＥが「１００２」である場合には、登録メッセージにＡＰ＿ＩＤ＿ＩＮＣＬ、ＡＰ＿ＩＤ＿ＬＥＮ、ＡＰ＿ＩＤの３種類のフィールドが必ず含まれなければならない。
【００２１】
以後、ステップ６１５で前記要請した位置登録に対する結果を受信し、ステップ６２０で前記統合端末機２０５の移動通信インタフェース機能オフが既設定されていているか否かを検査する。
前記ステップ６２０で移動通信インタフェース機能オフが既設定されている場合、ステップ６２５で前記移動通信インタフェース機能をオフしステップ６３０に進んで、近距離無線通信、すなわちブルートゥースを利用した通信を行う。
前記ステップ６２０で移動通信インタフェース機能オフが既設定されていない場合、ステップ６３０に進んで、移動通信インタフェースをオフせずに近距離無線通信、すなわちブルートゥースを利用した通信を行う。
【００２２】
以後、前記統合端末機２０５は、ステップ６３５でブルートゥース通信を中断する環境に置かれる場合に、すなわち、前記ブルートゥースＡＰからのブルートゥース信号強度が次第に弱くなり、結局、ある臨界値以下に落ちる場合に、ステップ６４０に進んで移動通信信号をスキャンした後、移動通信網に接続するために登録メッセージを生成し、これを前記ＨＬＲ２０７に送信する。
以後、前記統合端末機２０５は、ステップ６４５で前記ＨＬＲ２０７から前記登録要請に対する応答を受信した後、移動通信インタフェースをオン（Ｏｎ）する。
この場合に、前記登録メッセージは、下記の図７のＡＰ＿ＩＤ＿ＩＮＣＬ、ＡＰ＿ＩＤ＿ＬＥＮ、ＡＰ＿ＩＤの３種類のフィールドを含まず、下記の図８のＲＥＧ＿ＴＹＰＥを「０００１」、「Ｐｏｗｅｒ−ｕｐ」と設定する。
【００２３】
以後、前記統合端末機は、ステップ６５０で前記統合端末機のブルートゥースインタフェース機能オフが既設定されているか否かを検査する。
前記ステップ６５０でブルートゥースインタフェース機能オフが既設定されている場合、ステップ６５５に進んで前記ブルートゥースインタフェースをオフし、本発明によるアルゴリズムを終了する。
前記ステップ６５０でブルートゥース自動登録機能が設定されていた場合には、ブルートゥース信号を周期的にスキャンしなければならないので、室外でもブルートゥースインタフェースをオフしない。
前記統合端末機２０５が送信した登録メッセージは、従来の方式の一般的な登録手順と同様に処理され、前記統合端末機２０５の移動通信登録が完了すると同時に、前記統合端末機２０５は、移動通信網に接続されて、従来の一般的な移動通信端末機と同様に動作しつつ移動通信呼の着／発信が可能な状態となる。
【００２４】
図７は、本発明の実施形態による登録メッセージを示すものである。
前記図７に示すように、前記登録メッセージは、ＣＤＭＡ標準規格である「Ｕｐｐｅｒ  Ｌａｙｅｒ（Ｌａｙｅｒ  ３）  ｓｉｇｎａｌｉｎｇ  Ｓｔａｎｄａｒｄ  ｆｏｒ  ｃｄｍａ２０００  Ｓｐｒｅａｄ  Ｓｐｅｃｔｒｕｍ  Ｓｙｓｔｅｍｓ」内の登録メッセージに特定フィールドを追加したものである。
前記特定フィールドは、１ビットのＡＰ＿ＩＤ＿ＩＮＣＬ、３ビットのＡＰ＿ＩＤ＿ＬＥＮ、８×ＡＰ＿ＩＤ＿ＬＥＮビットのＡＰ＿ＩＤであり、それぞれＡＰ＿ＩＤの有無、前記ＡＰ＿ＩＤの長さ、そしてＡＰ＿ＩＤを示す。
【００２５】
図８は、本発明の実施形態による登録コードを示すものである。
前記図８に示すように、前記登録コードは、ＣＤＭＡ標準規格である「Ｕｐｐｅｒ  Ｌａｙｅｒ（Ｌａｙｅｒ３）  ｓｉｇｎａｌｉｎｇ  Ｓｔａｎｄａｒｄ  ｆｏｒ  ｃｄｍａ２０００  Ｓｐｒｅａｄ  Ｓｐｅｃｔｒｕｍ  Ｓｙｓｔｅｍｓ」内の登録メッセージの登録コードに特定フィールドを追加したものである。
前記特定フィールドは、統合端末機２０５がブルートゥース通信使用のための登録時に移動通信インタフェース機能オフを設定するために、新しい登録コードである「１００２」を前記ＣＤＭＡ２０００規格の登録コードのうち、予約領域に追加したものである。
【００２６】
図９は、本発明の実施形態による登録過程を示すものである。
前記図９に示すように、前記統合端末機２０５は、ステップ９１０でブルートゥース通信を使用する場合に、ブルートゥースインタフェースをオンし、隣接したブルートゥースＡＰからのブルートゥース信号を検索し、ブルートゥースＡＰと接続される。
前記場合は、加入者が前記統合端末機２０５の専用ボタンを押すか、若しくは前記統合端末機２０５のユーザメニューから特定メニューを選択するとき、又は前記統合端末機２０５のブルートゥース自動登録が設定されていた場合に、前記統合端末機２０５がブルートゥース信号を周期的にスキャンして、ブルートゥース信号を検出し、前記ブルートゥースＡＰに接続する場合である。
【００２７】
前記ステップ９２０で前記統合端末機２０５は、前記ブルートゥースＡＰからブルートゥースアドレス、「ＢＤ＿ＡＤＤＲ」を獲得する。
以後、前記統合端末機２０５は、ステップ９３０でブルートゥースアドレスであるＢＤ＿ＡＤＤＲを含む登録メッセージを生成してＨＬＲ２０７に送信する。前記登録メッセージは、前記図７のＡＰ＿ＩＤ＿ＩＮＣＬ、ＡＰ＿ＩＤ＿ＬＥＮ、ＡＰ＿ＩＤの３種類のフィールドを含み、前記図８のＲＥＧ＿ＴＹＰＥは、「１００２」、「Ｐｏｗｅｒ−ｄｏｗｎ  ｗｉｔｈ  ｉｎｄｏｏｒ  ｒｅｇｉｓｔｒａｔｉｏｎ」と設定する。
前記ＲＥＧ＿ＴＹＰＥが「１００２」である場合には、登録メッセージにＡＰ＿ＩＤ＿ＩＮＣＬ、ＡＰ＿ＩＤ＿ＬＥＮ、ＡＰ＿ＩＤの３種類のフィールドが必ず含まれなければならない。
又は、前記新しいＲＥＧ＿ＴＹＰＥを追加しなくても、前記ＡＰ＿ＩＤ＿ＩＮＣＬフィールドが「１」と設定された場合に「Ｐｏｗｅｒ−ｄｏｗｎ  ｗｉｔｈ  ｉｎｄｏｏｒ  ｒｅｇｉｓｔｒａｔｉｏｎ」で動作するように具現できる。
【００２８】
前記ＨＬＲ２０７は、ステップ９４０で前記統合端末機２０５がブルートゥースＡＰに接続したことを認知し、前記統合端末機２０５の登録情報を更新する。
また、前記ＨＬＲ２０７は、前記統合端末機２０５が使用する有線電話番号を既に有している場合に、以後から前記統合端末機２０５の移動通信電話番号へ向かう通話を有線電話番号にフォワードするよう設定する。
以後、前記ＨＬＲ２０７は、ステップ９５０で前記登録メッセージと共に送信されたＡＰ＿ＩＤブルートゥースＡＰのＢＤ＿ＡＤＤＲを参照して、登録器２１０に前記統合端末機２０５がＢＤ＿ＡＤＤＲに該当する前記ブルートゥースＡＰに接続したことを通知する。
【００２９】
以後、前記ＨＬＲ２０７は、ステップ９６０において、前記ブルートゥースＡＰに該当する有線電話番号を有していない場合に、前記登録器２１０から前記ブルートゥースＡＰに該当する有線電話番号を通知された後、前記有線電話番号にフォワードするよう設定する過程を行うことができる。
この場合に、前記登録器２１０は、前記ブルートゥースＡＰのＢＤ＿ＡＤＤＲと前記ブルートゥースＡＰの有線電話番号、そしてその他の関連情報をマッピングテーブルの形態で管理し更新する。
【００３０】
本発明による新しいネットワーク装置である登録器２１０は、ステップ９７０において前記ＨＬＲ２０７から伝達されたブルートゥースＡＰのＢＤ＿ＡＤＤＲを利用して、前記統合端末機２０５が現在どのブルートゥースＡＰに接続されているか否かの情報を更新する。
このために、前記登録器２１０は、ブルートゥースＡＰが設置される時に自動／手動登録手順によりブルートゥースＡＰの識別子であるＢＤ＿ＡＤＤＲと前記ブルートゥースＡＰの有線電話番号を管理していなければならない。
【００３１】
前記ＨＬＲ２０７は、ステップ９８０で前記統合端末機２０５にブルートゥース利用登録要請が完了したことを応答し、前記統合端末機２０５は、ステップ９９０で前記応答メッセージを受信し、移動通信インタフェースをオフする。
以後、前記統合端末機２０５は、移動通信インタフェースを使用せずにブルートゥースインタフェースを介して有線電話の着発信と移動通信呼着信を受けることができる状態となる。
但し、前記登録手順で前記統合端末機２０５が前記ブルートゥースＡＰに接続する時に移動通信インタフェースをオフすることは、必要時に加入者の選択によってオフしないように設定できる。
【００３２】
前記ステップ９１０においてブルートゥース自動登録機能が設定されていた場合には、ブルートゥース信号を周期的にスキャンしなければならないので、室外でも移動通信インタフェースとブルートゥースインタフェースとを全て使用するように設定される。
上記の場合に、ブルートゥースプロトコルの代わりに近距離無線通信プロトコルとしてジグビープロトコルを使用するならば、ＢＤ＿ＡＤＤＲの代わりに６４ビットのＩＥＥＥ−ａｓｓｉｇｎｅｄ  ａｄｄｒｅｓｓｅｓを含む登録メッセージを生成する。
【００３３】
本発明では、図示していないが、本発明の統合端末機は、移動通信モジュールと近距離無線通信モジュールとを備えるインタフェースモジュールと、前記インタフェースモジュールを介して前記近距離無線通信の信号を感知して接続した場合に、前記近距離無線通信を使用するＡＰの情報を含むメッセージを送信して、前記近距離無線通信モードへの登録を要請する制御部と、を備える。
前記近距離無線通信を使用するＡＰの情報を含むメッセージは、登録コードフィールドとＡＰの情報フィールドとのうちの少なくとも一つのフィールドを含む。前記登録コードフィールドは、屋内登録であることを表すフィールドであり、前記ＡＰの情報を表すフィールドは、前記ＡＰの情報が含まれているか否かを表すフィールドと、前記ＡＰのアドレスの長さを表すフィールドと、前記ＡＰのアドレスを表すフィールドとのうちの少なくとも一つを含む。そして、本発明の近距離無線通信プロトコルは、ブルートゥースプロトコルを表す。
【００３４】
上述したように、本発明は、統合端末機が移動通信の遮られる地域に位置しても、近距離無線通信技術のうち、ブルートゥース技術を利用して既存の移動通信サービスを受けることができるという利点がある。
また、前記統合端末機が二つのインタフェースの代わりに一つのインタフェースを使用することができるから、一つの電話番号で二種類のサービスを使用することができ、前記二つのインタフェースの使用によるバッテリーの消費を減らすことができるという利点がある。
【００３５】
上述した本発明の好ましい実施形態は、例示の目的のために開示されたものであり、本発明の属する技術の分野における通常の知識を有する者であれば、本発明の技術的思想を逸脱しない範囲内で、様々な置換、変形、及び変更が可能であり、このような置換、変更などは、特許請求の範囲に属するものである。
【図面の簡単な説明】
【００３６】
【図１】既存の移動通信技術と近距離無線通信技術とを同時にサポートする統合端末機のネットワーク接続形態を示す図である。
【図２】本発明の実施形態による移動通信技術を利用した動作過程を示す図である。
【図３】本発明の実施形態による登録器（Ｒｅｇｉｓｔｅｒ）の構成を示す図である。
【図４】本発明の実施形態による登録器の動作過程を示す図である。
【図５】本発明の実施形態によるＨＬＲの動作過程を示す図である。
【図６】本発明の実施形態による統合端末機の動作過程を示す図である。
【図７】本発明の実施形態による登録メッセージを示す図である。
【図８】本発明の実施形態による登録コードを示す図である。
【図９】本発明の実施形態による登録過程を示す図である。
【符号の説明】
【００３７】
２０５  通号端末機
２０６  ブルートゥースＡＰ
２０７  ＨＬＲ
２０９  ブルートゥースＡＰ
２１０  登録器（マルチＩ／Ｆ端末機用）
３００  登録器
３１０  登録器データベース
３２０  シグナリングプロセッサ
３３０  メッセージバッファ
【図１】
2009516956.tif 000003
【図２】
2009516956.tif 000004
【図３】
2009516956.tif 000005
【図４】
2009516956.tif 000006
【図５】
2009516956.tif 000007
【図６】
2009516956.tif 000008
【図７】
2009516956.tif 000009
【図８】
2009516956.tif 000010
【図９】
2009516956.tif 000011
【国際調査報告】
2009516956.tif 000012
2009516956.tif 000013